(57)【要約】【課題】エアバッグの膨張展開時に座席の側部に展開する張力布を備える構成において乗員拘束性能の更なる向上を図ることが可能な乗員拘束装置を提供する。【解決手段】本発明にかかる乗員拘束装置の構成は、座席のシートバック内に収納されていて座席に着座した乗員の両側方それぞれに膨張展開する一対のエアバッグと、収納されている一対のエアバッグの膨張展開時に、当該エアバッグのそれぞれの乗員とは反対側の表面を通って展開するように、座席のシートバック内からシートクッション内にわたって収納されている一対の張力布とを備え、膨張展開時の上面視において、一対のエアバッグの乗員側の表面同士の間隔は前方に向かうにしたがって狭くなり、一対の張力布は、一対のエアバッグの膨張展開によって座席の側部に展開し、シートバックからシートクッションまで張り渡されて一対のエアバッグそれぞれの乗員とは反対側の面を支持することを特徴とする。【選択図】図２
2020017280.tif 000002
【特許請求の範囲】
【請求項１】
車両の座席に着座した乗員を拘束する乗員拘束装置であって、
当該乗員拘束装置は、
前記座席のシートバック内に収納されていて該座席に着座した乗員の両側方それぞれに膨張展開する一対のエアバッグと、
前記収納されている一対のエアバッグの膨張展開時に、当該エアバッグのそれぞれの前記乗員とは反対側の表面を通って展開するように、前記座席のシートバック内から前記シートクッション内にわたって収納されている一対の張力布とを備え、
膨張展開時の上面視において、前記一対のエアバッグの前記乗員側の表面同士の間隔は前方に向かうにしたがって狭くなり、
前記一対の張力布は、前記一対のエアバッグの膨張展開によって前記座席の側部に展開し、前記シートバックから前記シートクッションまで張り渡されて該一対のエアバッグそれぞれの前記乗員とは反対側の面を支持することを特徴とする乗員拘束装置。
【請求項２】
前記一対の張力布は、前記座席の表皮を開裂することにより該座席の側部に展開することを特徴とする請求項１に記載の乗員拘束装置。
【請求項３】
当該乗員拘束装置は、少なくとも前記座席の側部に配置された前記一対のエアバッグまたは前記一対の張力布を収容するケースを備え、
前記一対の張力布は、前記ケースから前記座席の側部に展開することを特徴とする請求項１に記載の乗員拘束装置。
【請求項４】
膨張展開時の上面視において、前記一対のエアバッグの乗員側の表面は、前方に向かうにしたがって乗員に近づくように傾斜していることを特徴とする請求項１から３のいずれか１項に記載の乗員拘束装置。
【請求項５】
膨張展開時の上面視において、前記一対のエアバッグは、それぞれ、後方に向かうにしたがって先細りになるテーパ形状であることを特徴とする請求項１から４のいずれか１項に記載の乗員拘束装置。
【請求項６】
当該乗員拘束装置は、前記一対のエアバッグの前部に接続され該一対のエアバッグとそれぞれ連通していて前記乗員の前方で膨張展開する一対のサブバッグを備えることを特徴とする請求項１から５のいずれか１項に記載の乗員拘束装置。
【請求項７】
前記一対のサブバッグは、膨張展開時に前記一対のエアバッグそれぞれによって閉じられ閉状態になる一対のアウタベントを有し、
前記乗員の頭部の進入によって前記一対のサブバッグが前方に向かって移動すると前記一対のアウタベントが開状態となることを特徴とする請求項６に記載の乗員拘束装置。
【請求項８】
前記一対のサブバッグは、前記一対のエアバッグよりも遅れて膨張展開することを特徴とする請求項６または７に記載の乗員拘束装置。
【請求項９】
前記一対のサブバッグは、膨張展開時に前記一対のエアバッグよりも前方側に位置することを特徴とする請求項６から８のいずれか１項に記載の乗員拘束装置。
【発明の詳細な説明】
【技術分野】
【０００１】
本発明は、車両の座席に着座した乗員を拘束する乗員拘束装置に関するものである。
【背景技術】
【０００２】
近年の車両にはエアバッグ装置がほぼ標準装備されている。エアバッグ装置は、車両衝突などの緊急時に作動する安全装置であって、ガス圧で膨張展開して乗員を受け止めて保護する。エアバッグ装置には、設置箇所や用途に応じて様々な種類がある。例えば特許文献１の乗員拘束装置では、座席の両側の側部に乗員のすぐ脇へ膨張展開するサイドエアバッグが設けられている。【０００３】
特に特許文献１の乗員拘束装置では、エアバッグの膨張展開時に張力を与えられてエアバッグとシートクッションの両側面との間に広がる張力布を設けている。これにより、張力布によってエアバッグの移動を規制することができる。したがって、エアバッグによる乗員拘束性能を高めることが可能となる。
【先行技術文献】
【特許文献】
【０００４】
【特許文献１】国際公開第２０１６／０３９１６０号
【発明の概要】
【発明が解決しようとする課題】
【０００５】
特許文献１の乗員拘束装置によれば、乗員から離れる方向、特に左右方向へのエアバッグの移動を張力布によって好適に規制することができ、エアバッグによる乗員拘束性能が飛躍的に高まった。しかしながら、乗員拘束装置には、乗員拘束性能の向上が常に求められている。このため、発明者らは特許文献１の技術の更なる改良について検討した。【０００６】
本発明は、このような課題に鑑み、エアバッグの膨張展開時に座席の側部に展開する張力布を備える構成において乗員拘束性能の更なる向上を図ることが可能な乗員拘束装置を提供することを目的とする。
【課題を解決するための手段】
【０００７】
上記課題を解決するために、本発明にかかる乗員拘束装置の代表的な構成は、車両の座席に着座した乗員を拘束する乗員拘束装置であって、当該乗員拘束装置は、座席のシートバック内に収納されていて座席に着座した乗員の両側方それぞれに膨張展開する一対のエアバッグと、収納されている一対のエアバッグの膨張展開時に、当該エアバッグのそれぞれの乗員とは反対側の表面を通って展開するように、座席のシートバック内からシートクッション内にわたって収納されている一対の張力布とを備え、膨張展開時の上面視において、一対のエアバッグの乗員側の表面同士の間隔は前方に向かうにしたがって狭くなり、一対の張力布は、一対のエアバッグの膨張展開によって座席の側部に展開し、シートバックからシートクッションまで張り渡されて一対のエアバッグそれぞれの乗員とは反対側の面を支持することを特徴とする。【０００８】
上記構成によれば、膨張展開した一対のエアバッグが一対の張力布によって乗員に対して付勢される。これにより、エアバッグの乗員拘束性能を高めることができる。特に上記構成では、膨張展開時の上面視において、一対のエアバッグの乗員側の表面同士が前方に向かうにしたがって狭くなる。これにより、一対のエアバッグにおいて、前方に向かうにしたがって高い拘束力が得られる。以下、説明の便宜上、エアバッグの前後方向の長さの中心よりも前側を「エアバッグの前部」と称し、エアバッグの前後方向の長さの中心よりの後側を「エアバッグの後部」と称する。【０００９】
衝突時の衝撃が大きい場合、乗員にかかる荷重および乗員の前方への移動量が大きくなる。このため、乗員のエアバッグへの進入量が大きくなり、エアバッグにかかる荷重も大きくなる。エアバッグの前部では、乗員側の表面同士の間隔が狭くなっているため、拘束力が高い。したがって、大きい衝撃によって移動した乗員を強く拘束することができる。【００１０】
衝突時の衝撃が小さい場合、乗員にかかる荷重および乗員の前方への移動量は小さくなる。このため、乗員のエアバッグへの進入量は小さく、エアバッグにかかる荷重も小さい。エアバッグの後部では、乗員側の表面同士の間隔が前部より広くなっているため、拘束力も前部より低くなる。このため、乗員を緩く拘束することができる。したがって、乗員に過剰な負荷がかかることがなく、安全性を高めることが可能となる。【００１１】
上記一対の張力布は、座席の表皮を開裂することにより座席の側部に展開するとよい。または当該乗員拘束装置は、少なくとも座席の側部に配置された一対のエアバッグまたは一対の張力布を収容するケースを備え、一対の張力布は、ケースから座席の側部に展開するとよい。いずれの構成によっても、上述した効果を良好に得ることが可能である。【００１２】
膨張展開時の上面視において、上記一対のエアバッグの乗員側の表面は、前方に向かうにしたがって乗員に近づくように傾斜しているとよい。このように一対のエアバッグの乗員側の表面が前方に向かうにしたがって乗員に近づいていることにより、膨張展開時の上面視における一対のエアバッグの乗員側の表面同士を、確実に前方に向かうにしたがって狭くすることができる。【００１３】
膨張展開時の上面視において、上記一対のエアバッグは、それぞれ、後方に向かうにしたがって先細りになるテーパ形状であるとよい。これにより、一対のエアバッグは、膨張展開時に前方に向かうにしたがって左右方向の幅が広くなる。したがって、膨張展開時の上面視における一対のエアバッグの乗員側の表面同士の間隔を、確実に前方に向かうにしたがって狭くすることが可能となる。【００１４】
当該乗員拘束装置は、一対のエアバッグの前部に接続され一対のエアバッグとそれぞれ連通していて乗員の前方で膨張展開する一対のサブバッグを備えるとよい。これにより、一対のエアバッグによって乗員の胴部を拘束し、一対のサブバッグによって乗員の頭部を拘束することができる。したがって、乗員拘束性能を更に高めることが可能となる。【００１５】
特に、サブバッグは、曲率や、エアバッグとサブバッグとの連通孔であるインナベントの径を調整することにより、内圧ひいては硬さが調節される。したがって、質量が大きい乗員の胴部を強く拘束する必要があるエアバッグは内圧を高くし、乗員の頭部を拘束するサブバッグはエアバッグよりも内圧を低くすることが可能となる。これにより、乗員の胴部を好適に拘束しつつ、乗員の頭部の障害値を低下させることができる。【００１６】
上記一対のサブバッグは、膨張展開時に一対のエアバッグそれぞれによって閉じられ閉状態になる一対のアウタベントを有し、乗員の頭部の進入によって一対のサブバッグが前方に向かって移動すると一対のアウタベントが開状態となるとよい。これにより、膨張展開直後に乗員の前方への移動が生じる前は、エアバッグのアウタベントはサブバックによって閉状態となっている。したがって、膨張展開直後はエアバッグにおいて高い内圧が維持される。これにより、エアバッグにおいて乗員の胴部を強く拘束することが可能となる。【００１７】
その後、乗員が前方に移動すると、乗員の頭部の進入によってサブバッグが前方に移動する。すると、アウタベントが開状態となり、エアバッグ内のガスがエアバッグ外に流れる。これにより、エアバッグの内圧が低下する。したがって、乗員は、膨張展開直後は強く拘束され、その後は緩く拘束される。したがって、乗員への障害値が低下し、安全性の向上を図ることが可能となる。【００１８】
上記一対のサブバッグは、一対のエアバッグよりも遅れて膨張展開するとよい。これにより、エアバッグによって膨張展開直後のエアバッグの内圧を高く維持した状態で乗員の胴部を好適に拘束した後に、サブバッグによって乗員の頭部を拘束することができる。【００１９】
上記一対のサブバッグは、膨張展開時に一対のエアバッグよりも前方側に位置するとよい。これにより、サブバッグによって乗員の頭部をより確実に拘束することが可能となる。
【発明の効果】
【００２０】
本発明によれば、エアバッグの膨張展開時に座席の側部に展開する張力布を備える構成において乗員拘束性能の更なる向上を図ることが可能な乗員拘束装置を提供することができる。
【図面の簡単な説明】
【００２１】
【図１】第１実施形態にかかる乗員拘束装置を例示する図である。
【図２】図１のエアバッグの膨張展開時の形状を例示する図である。
【図３】第２実施形態にかかる乗員拘束装置を説明する図である。
【図４】図３のエアバッグおよびサブバッグの膨張展開時の形状を例示する図である。
【図５】第３実施形態にかかる乗員拘束装置を説明する図である。
【図６】図５のエアバッグおよびサブバッグの膨張展開時の形状を例示する図である。
【図７】本実施形態の乗員拘束装置の他の例を説明する図である。
【発明を実施するための形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
なお、本実施形態においては、乗員が正規の姿勢で座席に着座した際に、乗員が向いている方向を前方、その反対方向を後方と称する。また乗員が正規の姿勢で座席に着座した際に、乗員の右側を右方向、乗員の左側を左方向と称する。更に、乗員が正規の姿勢で着座した際に、乗員の頭部方向を上方、乗員の腰部方向を下方と称する。そして、以下の説明において用いる図面では、必要に応じて、上述した乗員を基準とした前後左右上下方向を、Ｆｒ、Ｒｒ、Ｌ、Ｒ、Ｕｐ、Ｄｏｗｎと示す。
【００２４】
（第１実施形態）
図１は、第１実施形態にかかる乗員拘束装置１００を例示する図である。理解を容易にするために、図１では、座席１１０の内部に収納されている部材を仮想線にて示している。また図１では、エアバッグが非膨張展開時の座席を例示している。
【００２５】
本実施形態の乗員拘束装置１００は、座席１１０に着座した乗員を拘束するための装置である。図１に例示するように、本実施形態の乗員拘束装置１００は、車両（全体は不図示）の座席１１０、一対のエアバッグ１２０ａ・１２０ｂ、および一対の張力布である左側張力布１３０ａ・右側張力布１３０ｂを備える。座席１１０は、乗員の上半身を支持するシートバック１１２を備える。シートバック１１２の下方には乗員が着座するシートクッション１１４が設けられている。シートバックの上方には乗員の頭部を支持するヘッドレスト１１６が設けられている。
【００２６】
エアバッグ１２０ａ・１２０ｂ（サイドエアバッグ）は、図１に例示するように座席１１０のシートバック１１２の左右両側の内部にそれぞれ収納されている。左右両側の一対のエアバッグ１２０ａ・１２０ｂは、車両の衝突時等に、座席１１０に着座した乗員の両側方に膨張展開する。
【００２７】
左側張力布１３０ａ・右側張力布１３０ｂは、本実施形態では一対のエアバッグ１２０ａ・１２０ｂそれぞれに対して設けられる。左側張力布１３０ａ・右側張力布１３０ｂは、収納されている一対のエアバッグ１２０ａ・１２０ｂの膨張展開時に、それぞれの乗員とは反対側の表面を通って展開するように、座席１１０のシートバック１１２内からシートクッション１１４内にわたって収納されている。
【００２８】
図２は、図１のエアバッグ１２０ａ・１２０ｂの膨張展開時の形状を例示する図である。図２（ａ）および（ｂ）では、図１に例示する座席１１０に乗員Ｐが着座し、エアバッグ１２０ａ・１２０ｂが膨張展開した状態を上方から観察した状態を例示している。
【００２９】
図２（ａ）および（ｂ）に例示するように、一対のエアバッグ１２０ａ・１２０ｂが膨張展開すると、一対の張力布（左側張力布１３０ａ・右側張力布１３０ｂ）は、座席１１０の表皮を開裂することにより座席１１０の側部に展開し、シートバック１１２からシートクッション１１４まで張り渡される。これにより、一対のエアバッグ１２０ａ・１２０ｂそれぞれの乗員Ｐとは反対側の表面１２４が、一対の張力布それぞれによって支持される。これにより、張力布によってエアバッグ１２０ａ・１２０ｂが乗員Ｐに対して付勢される。したがって、エアバッグ１２０ａ・１２０ｂの乗員拘束性能を高めることが可能となる。
【００３０】
図２（ａ）および（ｂ）に例示するように、特に本実施形態の乗員拘束装置１００では、膨張展開時の上面視において、一対のエアバッグ１２０ａ・１２０ｂの乗員側の表面１２２同士の間隔Ｄは前方に向かうにしたがって狭くなる。これにより、エアバッグ１２０ａ・１２０ｂの拘束力は、前方に向かうにしたがって強くなる。以下、説明の便宜上、エアバッグ１２０ａ・１２０ｂの前後方向の長さの中心Ｃよりも前側を「エアバッグの前部１２６」と称し、エアバッグの前後方向の長さの中心よりの後側を「エアバッグの後部１２８」と称する。
【００３１】
衝突時の衝撃が大きい場合、乗員Ｐには大きな荷重がかかり、乗員Ｐの前方への移動量が大きくなる。このため、図２（ａ）に例示するように、乗員Ｐのエアバッグ１２０ａ・１２０ｂへの進入量が大きくなり、エアバッグ１２０ａ・１２０ｂにかかる荷重も大きくなる。このとき、エアバッグの前部１２６は、乗員側の表面１２２同士の間隔Ｄが狭くなっているため、拘束力が高い。したがって、大きい衝撃によって移動した乗員Ｐを強く拘束することができる。
【００３２】
衝突時の衝撃が小さい場合、乗員Ｐにかかる荷重は小さく、乗員Ｐの前方への移動量は小さくなる。このため、図２（ｂ）に例示するように、乗員Ｐのエアバッグ１２０ａ・１２０ｂへの進入量は小さく、エアバッグ１２０ａ・１２０ｂにかかる荷重も小さい。このとき、エアバッグの後部１２８は、乗員側の表面１２２同士の間隔Ｄが前部１２６より広くなっているため、拘束力は前部１２６よりは低い。したがって、乗員Ｐを緩く拘束することができ、過剰な負荷が乗員にかかることを防ぎ、安全性を高めることが可能となる。
【００３３】
また本実施形態の乗員拘束装置１００では、膨張展開時の上面視において、一対のエアバッグ１２０ａ・１２０ｂの乗員側の表面１２２は、前方に向かうにしたがって乗員に近づくように傾斜している。これにより、膨張展開時の上面視における一対のエアバッグ１２０ａ・１２０ｂの乗員側の表面１２２同士は、必然的に前方に向かうにしたがって狭くなる。したがって、上述した効果が確実に得られる。
【００３４】
更に本実施形態の乗員拘束装置１００では、膨張展開時の上面視において、一対のエアバッグ１２０ａ・１２０ｂは、それぞれ、後方に向かうにしたがって先細りになるテーパ形状である。これにより、一対のエアバッグ１２０ａ・１２０ｂは、膨張展開時に前方に向かうにしたがって左右方向の幅が広くなる。したがって、膨張展開時の上面視における一対のエアバッグ１２０ａ・１２０ｂの乗員側の表面１２２同士の間隔を、確実に前方に向かうにしたがって狭くすることが可能となる。
【００３５】
（第２実施形態）
図３は、第２実施形態にかかる乗員拘束装置２００を説明する図である。図４は、図３のエアバッグ１２０ａ・１２０ｂおよびサブバッグ２２０ａ・２２０ｂの膨張展開時の形状を例示する図である。図４（ａ）および（ｂ）では、図３に例示する座席１１０に乗員Ｐが着座し、エアバッグ１２０ａ・１２０ｂおよびサブバッグ２２０ａ・２２０ｂが膨張展開した状態を上方から観察した状態を例示している。以下の実施形態では、先の実施形態の乗員拘束装置と共通する構成要素については、同一の符号を付すことにより説明を省略する。
【００３６】
図３に例示するように、第２実施形態の乗員拘束装置２００は、一対のエアバッグ１２０ａ・１２０ｂに加え、一対のサブバッグ２２０ａ・２２０ｂを更に備える。一対のサブバッグ２２０ａ・２２０ｂは、一対のエアバッグ１２０ａ・１２０ｂの前部１２６（図４（ａ）参照）に接続され、一対のエアバッグ１２０ａ・１２０ｂそれぞれと連通している。図４（ａ）に例示するように、一対のサブバッグ２２０ａ・２２０ｂは、一対のエアバッグ１２０ａ・１２０ｂが座席１１０の側部に展開すると、一対のエアバッグ１２０ａ・１２０ｂとともに座席１１０の側部に展開する。
【００３７】
図４（ａ）に例示するように、本実施形態の乗員拘束装置２００では、まず一対のエアバッグ１２０ａ・１２０ｂが膨張展開し、乗員Ｐの胴部Ｐ１が一対のエアバッグ１２０ａ・１２０ｂに拘束される。その後、図４（ｂ）に例示するように、一対のエアバッグ１２０ａ・１２０ｂを介してガスの供給を受けた一対のサブバッグ２２０ａ・２２０ｂが乗員Ｐの前方に膨張展開し、乗員Ｐの頭部Ｐ２がサブバッグ２２０ａ・２２０ｂに拘束される。これにより、乗員拘束装置２００において更に高い乗員拘束性能が得られる。また膨張展開時に一対のサブバッグ２２０ａ・２２０ｂが一対のエアバッグ１２０ａ・１２０ｂよりも前方側に位置することにより、サブバッグ２２０ａ・２２０ｂによって乗員Ｐの頭部Ｐ２をより確実に拘束することが可能となる。
【００３８】
上述したサブバッグ２２０ａ・２２０ｂは、曲率や、エアバッグ１２０ａ・１２０ｂとサブバッグ２２０ａ・２２０ｂとの連通孔であるインナベント２２２の径を調整することにより、内圧ひいては硬さを調節することができる。したがって、エアバッグ１２０ａ・１２０ｂに加えてサブバッグ２２０ａ・２２０ｂを有することにより、乗員Ｐの胴部Ｐ１を強く拘束する必要があるエアバッグ１２０ａ・１２０ｂは内圧を高くし、乗員Ｐの頭部Ｐ２を拘束するサブバッグ２２０ａ・２２０ｂはエアバッグ１２０ａ・１２０ｂよりも内圧を低くするというように、それぞれの内圧を別々に設定可能である。これにより、乗員Ｐの胴部Ｐ１を好適に拘束しつつ、乗員Ｐの頭部Ｐ２の障害値を低下させる効果が得られる。
【００３９】
特に本実施形態では、一対のサブバッグ２２０ａ・２２０ｂは、一対のエアバッグ１２０ａ・１２０ｂよりも遅れて膨張展開する、いわゆるディレーチャンバである。これにより、膨張展開直後のエアバッグ１２０ａ・１２０ｂの内圧を高く維持した状態で乗員Ｐの胴部Ｐ１を好適に拘束した後に、サブバッグ２２０ａ・２２０ｂによって乗員Ｐの頭部Ｐ２を拘束することが可能となる。
【００４０】
なお、本実施形態では、一対のサブバッグ２２０ａ・２２０ｂをディレーチャンバとする構成を例示したが、これに限定するものではない。したがって、一対のサブバッグ２２０ａ・２２０ｂを一対のエアバッグ１２０ａ・１２０ｂとほぼ同時に膨張展開する構成とすることも可能である。
【００４１】
（第３実施形態）
図５は、第３実施形態にかかる乗員拘束装置を説明する図である。図６は、図５のエアバッグ１２０ａ・１２０ｂおよびサブバッグ２２０ａ・２２０ｂの膨張展開時の形状を例示する図である。図５では、エアバッグ１２０ｂの膨張展開時に座席に着座している乗員Ｐを側方から観察した状態を例示している。図６（ａ）および（ｂ）では、図５に例示する座席１１０に乗員Ｐが着座し、エアバッグ１２０ａ・１２０ｂが膨張展開した状態を上方から観察した状態を例示している。なお、一対のエアバッグ１２０ａ・１２０ｂは左右対称であるため、図５では、右側のエアバッグ１２０ｂを例示している。
【００４２】
図６（ａ）および（ｂ）に例示するように、第３実施形態の乗員拘束装置３００においても、一対のエアバッグ１２０ａ・１２０ｂに加えて一対のサブバッグが設けられる。第３実施形態の乗員拘束装置３００では、図５に例示するように、サブバッグ２２０ｂは、エアバッグ１２０ｂの前部のうち、乗員側の表面１２２（図６（ａ）および（ｂ）参照）に接続される。このとき、サブバッグ２２０ｂは、その周縁の全部ではなく一部においてエアバッグに縫いつけられている。サブバッグ２２０ｂは、連通孔であるインナベント２２２によって一対のサブバッグ２２０ａ・２２０ｂと連通していて、一対のエアバッグ１２０ａ・１２０ｂを介してガスの供給を受け、一対のエアバッグ１２０ａ・１２０ｂより遅れて膨張展開する。
【００４３】
また図５に例示するように、サブバッグ２２０ｂには、外部と連通するアウタベント３０２が形成されている。本実施形態の特徴として、図６（ａ）に例示するように、膨張展開直後に乗員Ｐの前方への移動が生じる前には、アウタベント３０２は、一対のエアバッグ１２０ａ・１２０ｂによって覆われて閉じられていることにより閉状態となっている。
【００４４】
その後、乗員Ｐの前方への移動が生じ、乗員Ｐの頭部Ｐ２が一対のサブバッグ２２０ａ・２２０ｂに進入すると、図６（ｂ）に例示するように、一対のサブバッグ２２０ａ・２２０ｂが乗員Ｐの頭部Ｐ２とともに移動する。これにより、アウタベント３０２が露出して開状態となる。
【００４５】
上記構成によれば、アウタベント３０２が閉状態となっていることにより、膨張展開直後のエアバッグ１２０ａ・１２０ｂでは高い内圧が維持される。これにより、エアバッグ１２０ａ・１２０ｂにおいて乗員Ｐの胴部Ｐ１を強く拘束することが可能となる。そして、乗員Ｐの頭部Ｐ２の進入によってサブバッグ２２０ａ・２２０ｂが前方に移動してアウタベント３０２が開状態となると、エアバッグ１２０ａ・１２０ｂ内のガスがサブバッグ２２０ａ・２２０ｂのアウタベント３０２を介して外に流れ、エアバッグ１２０ａ・１２０ｂの内圧が低下する。これにより、乗員Ｐは、膨張展開直後は強く拘束され、その後は緩く拘束される。したがって、乗員Ｐへの障害値が低下し、安全性の向上を図ることが可能となる。
【００４６】
なお、図５では、右側張力布１３０ｂがシートクッション１１４の上面から座席１１０の外部に展開する構成を例示しているが、これに限定するものではない。例えば、右側張力布１３０ｂがシートクッション１１４の側面や、側面と上面との間の境界近傍から座席１１０の外部に展開する構成としても同様の効果を得ることが可能である。
【００４７】
図７は、本実施形態の乗員拘束装置の他の例を説明する図である。図７に例示する乗員拘束装置４００は、座席１１０の側部に配置されるケース１１８ａ・１１８ｂを備える。ケース１１８ａは、一対のエアバッグ１２０ａ・１２０ｂを収容するケースであり、ケース１１８ｂは、一対の張力布（左側張力布１３０ａ・右側張力布１３０ｂ）を収容するケースである。
【００４８】
図７に例示する乗員拘束装置４００では、エアバッグ１２０ａ・１２０ｂの膨張展開時に、一対の張力布（左側張力布１３０ａ・右側張力布１３０ｂ）は、ケース１１８ｂから座席１１０の側部に展開する。このような構成によっても、上述した乗員拘束装置１００と同様の効果を得ることができる。
【００４９】
以上、添付図面を参照しながら本発明の好適な実施例について説明したが、以上に述べた実施形態は、本発明の好ましい例であって、これ以外の実施態様も、各種の方法で実施または遂行できる。特に本願明細書中に限定される主旨の記載がない限り、この発明は、添付図面に示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００５０】
したがって、当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５１】
本発明は、車両の座席に着座した乗員を拘束する乗員拘束装置に利用することができる。
【符号の説明】
【００５２】
Ｐ１…胴部、Ｐ２…頭部、１００…乗員拘束装置、１１０…座席、１１２…シートバック、１１４…シートクッション、１１６…ヘッドレスト、１２０ａ…エアバッグ、１２０ｂ…エアバッグ、１２２…乗員側の表面、１２４…反対側の表面、１２６…前部、１２８…後部、１３０ａ…左側張力布、１３０ｂ…右側張力布、２００…乗員拘束装置、２２０ａ…サブバッグ、２２０ｂ…サブバッグ、３００…乗員拘束装置、３０２…アウタベント、Ｃ…中心、Ｄ…間隔、Ｐ…乗員
【図１】
2020017280.tif 000003
【図２】
2020017280.tif 000004
【図３】
2020017280.tif 000005
【図４】
2020017280.tif 000006
【図５】
2020017280.tif 000007
【図６】
2020017280.tif 000008
【図７】
2020017280.tif 000009
【国際調査報告】
2020017280.tif 000010
2020017280.tif 000011
2020017280.tif 000012
2020017280.tif 000013
2020017280.tif 000014
2020017280.tif 000015